(57)【要約】【課題】  野球用のバットもソフトボール用のバットも何れも保持することのできるバット用スタンドを提供する。【解決手段】  箱状に形成されたケース部材と、当該ケース部材内に形成された１又は２以上の筒状穴とを備えており、当該筒状穴は、バットのヘッド部分を収容すると共に、第１の内径部と、当該第１の内径部の底面側に形成された当該第１の内径部よりも縮径した第２の内径部を備えており、当該第１の内径部及び第２の内径部は、前記バットのヘッド部分を保持する鉛直方向に立ち上がる内壁面を備えているバット用スタンドとする。【選択図】図１
2019202096.tif 000002
【特許請求の範囲】
【請求項１】
箱状に形成されたケース部材と、当該ケース部材内に形成された１又は２以上の筒状穴とを備えており、
当該筒状穴は、バットのヘッド部分を収容すると共に、第１の内径部と、当該第１の内径部の底面側に形成された当該第１の内径部よりも縮径した第２の内径部を備えており、
当該第１の内径部及び第２の内径部は、前記バットのヘッド部分を保持する鉛直方向に立ち上がる内壁面を備えている事を特徴とする、バット用スタンド。
【請求項２】
前記第１の内径部と第２の内径部とは、内径の異なる管を上下に連結したバット保持モジュールとして形成されている、請求項１に記載のバット用スタンド。
【請求項３】
前記バット保持モジュールは、前記ケース部材の周壁面に沿って複数設けられるとともに、前記ケース部材に固定されており、
当該ケース部材の中央部分には、前記バット保持モジュールを固定する内箱部材が設けられている、請求項１又は２に記載のバット用スタンド。
【請求項４】
前記ケース部材には、高さ方向に延出する支柱部材が設けられると共に、当該支柱部材の上端には、横方向に延伸する２本以上のロッド部材を備えたヘルメットホルダーが設けられており、
当該ロッド部材は、ヘルメットのバイザーを挟着して仮着状に留め置く間隔で形成されている、請求項１〜３の何れか一項に記載のバット用スタンド。
【発明の詳細な説明】
【技術分野】
【０００１】
本発明はバット用スタンドに関し、特に野球用バットおよびソフトボール用バットの何れにも使用可能なバット用スタンドに関する。
【背景技術】
【０００２】
野球やソフトボール等で使用する用具の１つにバットがある。かかるバットは選手に応じて複数用意されることが多く、それ故に試合時における保管場所が問題になる。
【０００３】
そして多くの野球チームは、公式野球グランド等のようなダッグアウト設備の整った野球場で野球をすることができないことから、試合に際しては当然に専用のバット置き場も無く、ブルーシートや地面上に並べて置くか、袋に入れておかなければならなかった。このため、お互いのバットがぶつかり合ったり、石等に当たって傷付き易いだけでなく、シートなどの上に散乱したバットに躓いて転倒し怪我する危険があり、自分のバットの所在が分かり難く、また、取り揚げ取り出し難い等の問題があった。
【０００４】
そこで従前においては、ダッグアウト設備が整備されていない球場においても使用可能なバット用スタンドもいくつか提案されている。
【０００５】
例えば特許文献１（特開２００６−３２５７８９号公報）では、設備が整っていない球場においても、複数のバットとヘルメットとを、互いに干渉させることなくまとめて整然と収納することができ、運搬可能なものとしたバット・ヘルメットストッカーを提案している。このバット・ヘルメットストッカーは、左右一対の主脚と、上横枠および下横枠とで主枠部を形成し、下横枠に多数のポット部が串刺し状に配設され、各主脚上端寄りに枢着部を介して開脚可能となる支脚を連結した上、上端寄りを横桟によって連結し、副枠部となしてバット用スタンドとし、該バット用スタンド上端寄り適所に左右一対の主杆とバイザー止めとからなるヘルメットホルダーを着脱自在に組み合わせたバット・ヘルメットストッカーとなっている。
【０００６】
また特許文献２（特開平１１−００９７４６号公報）では、草野球チームがダッグアウト設備のない運動場などで練習や試合を行う場合でも、選手個々のバットを一括して整頓できるようにして、バットによる転倒事故などの発生を防止するべく、カバーを有する箱形のケースと、このケース内に収容される基板と、この基板上に立設されて、カバーの開放状態もしくは基板の取り出し状態でバットの先端部を挿入支持させる複数のバット支持用筒状体とを備えているバット立て用具を提案している。
【先行技術文献】
【特許文献】
【０００７】
【特許文献１】特開２００６−３２５７８９号公報
【特許文献２】特開平１１−００９７４６号公報
【発明の概要】
【発明が解決しようとする課題】
【０００８】
前記の通り、球場に持ち込んで使用することのできるバット用スタンドは幾つか提案されている。しかしながらこれらは野球かソフトボールの何れかでしか使用できるものではなく、野球及びソフトボールで使用するバットの何れも保持することはできなかった。
【０００９】
通常であれば、野球とソフトボールとではルールも異なることから、それぞれの競技に応じたバットを保持できれば良いのであるが、野球もソフトボールも詳細なルールは異なるものの基本的なルールは共通している点が多い。このため野球の競技者がソフトボールの競技を楽しむことも多く、またその逆も多いのが実情である。
【００１０】
よってこのような状況においては、野球の競技であってもソフトボールのバットを持ち込むこともあり、またソフトボールの競技であっても野球のバットを持ち込むこともある。
【００１１】
そこで本発明では、このような状況に鑑み、野球のバットもソフトボールのバットも何れも保持することのできるバット用スタンドを提供しようとするものである。
【課題を解決するための手段】
【００１２】
上記課題を解決するため、本発明では野球用のバットでも、ソフトボール用のバットでも保持することのできるバット用スタンドを提供するものである。
【００１３】
即ち、本発明では前記課題を解決するために、箱状に形成されたケース部材と、当該ケース部材内に形成された１又は２以上の筒状穴とを備えており、当該筒状穴は、バットのヘッド部分を収容すると共に、第１の内径部と、当該第１の内径部の底面側に形成された当該第１の内径部よりも縮径した第２の内径部を備えており、当該第１の内径部及び第２の内径部は、前記バットのヘッド部分を保持する鉛直方向に立ち上がる内壁面を備えているバット用スタンドを提供する。
【００１４】
また、前記バット用スタンドにおいて、前記第１の内径部と第２の内径部とは、内径の異なる管を上下に連結したバット保持モジュールとして形成することができる。
【００１５】
また、前記バット用スタンドにおいて、前記バット保持モジュールは、前記ケース部材の周壁面に沿って複数設けられるとともに、前記ケース部材に固定されており、当該ケース部材の中央部分には、前記バット保持モジュールを固定する内箱部材を設けて構成することができる。
【００１６】
また、前記バット用スタンドには、ヘルメットホルダーを設けることができる。即ち、前記ケース部材には、高さ方向に延出する支柱部材を設けると共に、当該支柱部材の上端には、横方向に延伸する２本以上のロッド部材を備えたヘルメットホルダーを設け、当該ロッド部材は、ヘルメットのバイザーを挟着して仮着状に留め置く間隔で形成したバット用スタンドとすることができる。
【発明の効果】
【００１７】
本発明のバット用スタンドは、バットのヘッド部分を収容すると共に、第１の内径部と、当該第１の内径部の底面側に形成された当該第１の内径部よりも縮径した第２の内径部を備えた当該筒状穴を具備している。このため、第１の内径部は野球用のバットのヘッド部分を保持できる内径に形成し、第２の内径部はソフトボール用のバットのヘッド部分を保持できる内径に形成することができる。
【００１８】
これにより、野球用のバットは第１の内径部内にヘッド部分を差し込んでそのない壁面で保持し起立させておくことができ、ソフトボール用のバットは第１の内径部を貫通して第２の内径部内にヘッド部分を差し込んで、そのない壁面で保持して起立させておくことができる。
【００１９】
よって本発明にかかるバット用スタンドによれば、野球用のバットもソフトボール用のバットも何れも保持することのできるバット用スタンドを提供することができる。
【図面の簡単な説明】
【００２０】
【図１】第１の実施の形態にかかるバット用スタンドを示す部分分解斜視図
【図２】図１のバット保持モジュールの拡大断面図
【図３】第２の実施の形態にかかるバット用スタンドを示す（Ａ）斜視図、（Ｂ）ｂ-ｂ矢視断面図
【図４】第３の実施の形態にかかるバット用スタンドを示す（Ａ）分解斜視図、（Ｂ）使用状態を示す縦断面図
【図５】キャスターとヘルメットホルダーを備えるバット用スタンドを示す（Ａ）斜視図、（Ｂ）使用状態側面図
【発明を実施するための形態】
【００２１】
以下、図面を参照しながら、本実施の形態にかかるバット用スタンド10を具体的に説明する。特に本実施の形態は四角形の箱体内に、複数のバット保持モジュール30を設置した実施の形態を示している。
【００２２】
図１は第１の実施の形態にかかるバット用スタンド10を示す部分分解斜視図である。この実施の形態に示すバット用スタンド10では、箱状に形成されたケース部材20の内部空間に配置された複数のバット保持モジュール30によって、バットのヘッド部分を収容する為の筒状穴50を形成している。
【００２３】
即ち、本実施の形態にかかるバット用スタンド10は、上部を解放した四角い箱状のケース部材20と、このケース部材20の中に整列させて配置した複数のバット保持モジュール30と、当該ケース部材20の平面視中央部分に配置した内箱部材40とで形成している。
【００２４】
本実施の形態における前記バット保持モジュール30は、下方側を段状に縮径させた円筒状に形成しており、その内部空間をバットのヘッド部分を収容する為の筒状穴50としている。かかるバット保持モジュール30は、上方に存在する第１の内径部51と、当該第１の内径部51の底面側に形成された第２の内径部52を形成しており、当該第２の内径部52は、第１の内径部51よりも縮径させて形成している。そして当該第１の内径部51と第２の内径部52とは、その内壁面が立ち上がり状に形成されており、即ち筒状に形成されている。当該バット保持モジュール30をこの様に形成してる結果、図２のバット保持モジュール30拡大断面図に示すように、２つの異なる太さのバットを、ヘッドを下にした状態で保持することができる。この時、ヘッド回りが太い野球用のバットは、バット保持モジュール30においてクランク状に縮径した第１の内径部51の底面に支持されることになる。一方でヘッド回りが野球用のバットに比べて細いソフトボール用のバットは、前記第１の内径部51における底面から第２の内径部52内に侵入し、当該第２の内径部52の内壁面で支持されることができる。よって第２の内径部52は、ソフトボール用のバットの規格に合わせて、内径５ｃｍ以上、６ｃｍ以下となるように形成するのが望ましく、第１の内径部51は内径が６ｃｍを超える大きさ、望ましくは内径７ｃｍ以上に形成する。
【００２５】
また、上記のように各内径部に収容されるバットは、ヘッド部分の先端部だけが収容される深さに形成することで、バットにおける打撃に使用する領域への損傷を阻止することができる。よって、当該各内径部は凡そ５ｃｍ〜１５ｃｍ、特に５ｃｍ〜１０ｃｍの深さに形成するのが望ましい。５ｃｍ未満の深さではバットを支持するのが難しくなり、１５ｃｍを超えると、バットの打撃に使用する領域への損傷が危惧されるためである。更に、前記筒状穴50はバットの横断面形状に相似形な円筒穴であることが望ましい。壁面全体でバットを保持することにより、保持に際して一か所に荷重がかかるのを阻止して損傷を無くすためである。更に当該党状穴の内壁面には布帛やスポンジ、或いはブラシ毛などの緩衝材を設けて、当該バットの損傷を極力減じるのも望ましい。
【００２６】
上記各バット保持モジュール30は、前記ケース部材20内に固定される。当該バット保持モジュール30の固定は、接着剤などによってケース部材内に固定することができ、隣り合うバット保持モジュール同士も相互に接続することができる。
【００２７】
そして本実施の形態にかかるバット用スタンド10では、前記ケース部材20の平面視中央部分に内箱部材40を設けている。この内箱部材40は、野球やソフトボールなどで使用する各種の道具やタオル、或いは降雨時に使用する防水カバーなどを収容する為に使用することができる。かかる内箱部材40は任意の大きさに形成することができ、前記バット保持モジュール30を配列した時の隙間を埋める大きさに形成することができる。
【００２８】
以上のように構成したバット用スタンド10によれば、ヘッド部の外径が異なる２種類のバットBを同時に保持することができ、野球やソフトボールの区別なく使用することのできるバット用スタンド10が実現する。しかも野球用のバットB1でも、ソフトボール用のバットB2でも、異なる内径の内壁面を備えたバット保持モジュール30によって、しっかりと保持できることから、保持したバットのぐらつき等によるバット表面の損傷のおそれをなくして、保持することができる。
【００２９】
上記バット用スタンド10において、ケース部材20は樹脂、金属、木材などの各種材料を用いて形成することができ、例えば市販されている果樹採集用コンテナなどを使用することができる。特に市販のケース部材20を用いてバット用スタンド10を形成する場合には、当該ケース部材20はその内部空間の大きさがさまざまである。これに対して、前記バット保持モジュール30は一定の大きさに形成する必要があることから、その空間を埋めるために、前記内箱部材40を設けることができる。これにより市販のケース部材20を使用し、一定の大きさのバット保持モジュール30を配置しながらも、無駄な空間を内箱部材40で埋めることができる。また、前記バット保持モジュール30も樹脂や金属、あるいは木材などで形成することができる。ただし使用耐久性や重さなどを考慮すれば、樹脂で形成することが望ましい。
【００３０】
図３は第２の実施の形態にかかるバット用スタンド10を示す（Ａ）斜視図、（Ｂ）ｂ-ｂ矢視断面図である。この実施の形態にかかるバット用スタンド10は、ケース部材20の上面に複数の穴部を形成し、これを筒状穴50として具体化したバット用スタンド10を示している。
【００３１】
即ち、本実施の形態にかかるバット用スタンド10では、直方体又は立方体上に形成したブロックや十分な厚さを有する板の上面に、第１の内径部51の縦穴を形成し、当該第１の内径部51の底面から、当該第１の内径部51よりも小さい内径の第２の内径部52の縦穴を形成している。これにより、図３（Ｂ）に示すように、当該ケース部材20の上面には、バットのヘッド部分を収容する筒状穴50が複数形成されることになり、各筒状穴50は第１の内径部51の下方に第２の内径部52が存在することになる。そしてかかる第１の内径部51および第２の内径部52は、前記図１に示したバット用スタンド10と同様に、それぞれ野球用のバットB1のヘッド部分、ソフトボール用のバットB2のヘッド部分を保持し、各バットのヘッド部分を下にした状態で立たせておくことができる。
【００３２】
この図３に示す実施の形態にかかるバット用スタンド10は、例えばプラスチック成型によって形成する他、金属加工によって形成することもでき、更に木材に穿孔加工を施すことにより形成することもできる。ただし当該バット用スタンド10の可搬性などを考慮すればプラスチックによって形成することが望ましい。
【００３３】
なお、図３の実施の形態では、第２の内径部52の底面には特に孔を形成していないが、当該第２の内径部52の底面に水抜きのための貫通孔を形成することも望ましい。
【００３４】
そして図４は第３の実施の形態にかかるバット用スタンド10を示す（Ａ）分解斜視図、（Ｂ）使用状態を示す縦断面図である。特にこの実施の形態にかかるバット用スタンド10は、複数の貫通孔を形成した板材35を、一定の間隔をおいて対向配置させており、上下に重なる板材同士で、第１の内径部51や第２の内径部52を形成したバット用スタンド10を示している。
【００３５】
即ち、板材の平面内に同じ大きさ及び同じ位置に開口部を形成した２枚以上の板材35を上下に対向配置し、これを２組以上用意する。そして上方には第１の内径部51の大きさとなる開口部36を形成した１組の板材セット31を配置し、その下方側には、第２の内径部52の大きさとなる開口部37を形成した１組の板材セット32を配置する。そしてこれら２組の板材セットを上下方向に配置し、これをケース部材20となる箱体内に収容する。
【００３６】
このように形成したバット用スタンド10は、図４（Ｂ）に示すように、上方には第１の内径部51に相当する第１の開口部が存在し、その下方には第２の内径部52相当の第２開口部が存在する。よって、野球用バットB1などのようにヘッド部分の外径が大きいバットは第１の開口部36で保持し、ソフトボール用バットのようにヘッド部分の外径が（野球用バットよりも）小さいバットは第２の開口部37で保持し、これによりバットを立たせておくことができる。特に各開口部は２枚以上の板部材によって形成されていることから、バットのヘッド部分を２か所以上で保持することができ、これにより安定した状態でバットを保持することができる。
【００３７】
特にこの図４に示す実施の形態にかかるバット用スタンド10では、前記各板部材を着脱自在に形成し、更に前記ケース部材20を折りたたみ自在に形成すれば、持ち運びにかさばることなく、球場で簡易に組み立てることのできるバット用スタンド10が実現する。
【００３８】
そして以上のように形成したバット用スタンド10は、必要に応じて台車やキャリーカートで運搬することができる。また、当該バット用スタンド10におけるケース部材20の底面には車輪を設けることができ、これにより移送時の容易性を高めることができる。ケース部材20の底面には車輪を設けたバット用スタンド10においては、移送時において筒状穴50に保持しているバットを持って移送することもできるが、望ましくは当該ケース部材20から立ち上がる取っ手を設ける。かかる取っ手は使用時において取り外すことができるように形成することが望ましく、即ち着脱自在に設けることが望ましい。
【００３９】
図５は、更にキャスター61とヘルメットホルダー62を備えるバット用スタンド10を示す（Ａ）斜視図、（Ｂ）使用状態側面図を示している。この実施の形態にかかるバット用スタンド10では、ケース部材20の下面にキャスター61を設けており、これにより移動を行いやすいものとして形成している。そしてケース部材20の側面には、上方向に立ち上がる支柱63を２本設けると共に、その先端側には斜め下方に展開するようにヘルメットホルダー62を設けている。このヘルメットホルダーは、傾斜方向に交差する向きに桟の様に掛け渡した複数のロッド部材64を設けて形成している。このように形成したヘルメットホルダー62では、ヘルメットHのバイザーHBをロッド部材間に差し込むことにより、当該バイザーHBがロッド部材64に挟着されて仮着状に留め置くことができる。かかるロッド部材64は例えば２ｃｍ以上、８ｃｍ以下の間隔で形成することができ、当該間隔はヘルメットホルダー62の傾斜具合に応じて適宜変更することができる。
【産業上の利用可能性】
【００４０】
本発明のバット用スタンドは、野球やソフトボールなどの競技において、これに使用するバットを保持するためのバット用スタンドとして利用することができる。その他にも本発明の技術を応用して、スポーツ用品に限ることなく様々な棒状のものを律節上に支持するための器具として利用することもできる。
【符号の説明】
【００４１】
10    バット用スタンド
20    ケース部材
30    バット保持モジュール
35    板材
36    第１の開口部
37    第２の開口部
40    内箱部材
50    筒状穴
51    第１の内径部
52    第２の内径部
61    キャスター
62    ヘルメットホルダー
63    支柱
64    ロッド部材
B    バット
H    ヘルメット
【図１】
2019202096.tif 000003
【図２】
2019202096.tif 000004
【図３】
2019202096.tif 000005
【図４】
2019202096.tif 000006
【図５】
2019202096.tif 000007